(57)【要約】【課題】ドライアウトの発生を防いで光源ユニットを安定的に冷却することができる沸騰冷却式ＬＥＤ照明装置を提供すること。【解決手段】  ＬＥＤ９を光源とする光源ユニット３と、  該光源ユニット３から受熱する受熱部１２、該受熱部１２で受熱した熱を外気に放熱する放熱部１３及び該放熱部１３と前記受熱部１２間において冷媒を循環させる循環経路を備えた沸騰冷却器５と、  該沸騰冷却器５と前記光源ユニット３を収容するハウジングと、を含んで構成される沸騰冷却式ＬＥＤ照明装置において、  前記沸騰冷却器５の放熱部１３を受熱１２部の上端に片側に寄せて配置する。具体的には、前記沸騰冷却器５の放熱部１３を、前記受熱部１２を垂直に対して傾けた場合に該受熱部１２よりも上方に位置する側に配置する。【選択図】図２
2011228149.tif 000002
【特許請求の範囲】
【請求項１】
ＬＥＤを光源とする光源ユニットと、
該光源ユニットから受熱する受熱部、該受熱部で受熱した熱を外気に放熱する放熱部及び該放熱部と前記受熱部間において冷媒を循環させる循環経路を備えた沸騰冷却器と、
該沸騰冷却器と前記光源ユニットを収容するハウジングと、
を含んで構成される沸騰冷却式ＬＥＤ照明装置において、
前記沸騰冷却器の放熱部を受熱部の上端に片側に寄せて配置したことを特徴とする沸騰冷却式ＬＥＤ照明装置。
【請求項２】
前記沸騰冷却器の放熱部を、前記受熱部を垂直に対して傾けた場合に該受熱部よりも上方に位置する側に配置したことを特徴とする請求項１記載の沸騰冷却式ＬＥＤ照明装置。
【請求項３】
前記沸騰冷却器の受熱部の少なくとも一部に垂直に対して傾斜する傾斜部を設け、該傾斜部の上端に前記放熱部を直角上方に向けて延設するとともに、同傾斜部の片面に前記光源ユニットを密着させて配置したことを特徴とする請求項１又は２記載の沸騰冷却式ＬＥＤ照明装置。
【発明の詳細な説明】
【技術分野】
【０００１】
本発明は、冷媒の相変化によって高い冷却能力を発揮する沸騰冷却方式を採用した沸騰冷却式ＬＥＤ照明装置に関するものである。
【背景技術】
【０００２】
近年、車両用前照灯や屋外照明灯等の照明装置としては、キセノンランプやナトリウムランプ等の大光量ランプを光源とするものから、長寿命で低消費電力のＬＥＤを光源とするものへの置き換えが進んでおり、ＬＥＤを光源とするＬＥＤ照明装置に対しては更なる高出力化が望まれている。
【０００３】
ところで、現在普及しているキセノンランプは２００Ｗ〜２０００Ｗ程度の出力のものが多く、これに代わるＬＥＤ照明装置への投入電力も増加していく傾向にあり、最近では１つのＬＥＤ照明装置への投入電力が２００Ｗを超えるものも開発されてきている。
【０００４】
斯かるＬＥＤ照明装置の大電力化に伴ってＬＥＤ光源ユニットの発熱量も増加するため、温度によって寿命や出力が変化するＬＥＤ光源においては、温度をより低く安定して駆動するための冷却構造が重要な開発課題となっている。
【０００５】
例えば特許文献１には、水冷式のＬＥＤ照明装置が提案されている。この水冷式ＬＥＤ照明装置は、ＬＥＤ光源の熱を液冷によって冷却する方式を採用するものであって、ＬＥＤ光源と該ＬＥＤ光源からの熱を冷媒液に受熱させる水冷ジャケットによって構成される灯体部と、受熱した冷媒液を外部空気に放熱するラジエータとファンによって構成される放熱部と、冷媒液を循環経路内で循環させるポンプを備えている。
【０００６】
このような水冷式ＬＥＤ照明装置によれば、冷媒液が灯体部から受熱した後に放熱部へと流れ、該放熱部において外気に放熱した後に灯体部に戻る循環動作を繰り返すことによって灯体部が冷却されるため、ＬＥＤ光源の高出力化と高寿命化が可能となるとともに、ラジエータによって効率良く放熱されるために放熱部の小型化と軽量化が可能となる。
【０００７】
ところが、特許文献１において提案された上記水冷式ＬＥＤ照明装置では、水冷ジャケット内を循環する冷媒液の経路によって、特に冷媒液の入口と出口とで大きな温度差を生じる場合があり、複数のＬＥＤを配列して成るＬＥＤ光源全体の温度が不均一となり、ＬＥＤの発光効率と寿命にバラツキが生じるという問題が発生する可能性がある。この場合の温度差は、水冷ジャケットの受熱量と受熱面積が大きいほど大きくなる傾向にある。
【０００８】
又、ポンプによって冷媒液が循環経路を循環するため、何らかの原因でポンプが停止した場合には冷媒液の循環も停止し、水冷ジャケットが断熱状態となって深刻な故障に繋がる可能性がある。
【０００９】
更に、灯体部と放熱部とがブチルゴム等から成るゴムホースによって連結されているため、ゴムホースから冷媒液が蒸発し、その蒸発量を補うためのリザーブタンクを循環経路内に設ける必要がある。このリザーブタンクのサイズは、メンテナンス間隔によっても異なるが、メンテナンス間隔を長くするには大きなサイズのリザーブタンクが必要になり、ＬＥＤ照明装置が大型化及び高重量化するという問題が発生する。
【００１０】
そこで、本出願人は、冷媒の相変化によって高い冷却能力を発揮する沸騰冷却方式を採用した図９に示すような沸騰冷却式ＬＥＤ照明装置１０１を先に提案した（特願２００９−２６５８７６において）。
【００１１】
図９は本出願人が先に提案した沸騰冷却式ＬＥＤ照明装置の縦断面図であり、図示の沸騰冷却式ＬＥＤ照明装置１０１は、矩形ボックス状のハウジング１０２の内部に光源ユニット１０３、ＬＥＤ駆動回路１０４、沸騰冷却器１０５及びファン１０６を組み込んで構成されている。
【００１２】
上記沸騰冷却器１０５は、エバポレータとしての受熱部１１２と、該受熱部１１２の上方に配されたコンデンサとしての放熱部１１３と、該放熱部１１３と前記受熱部１１２間において冷媒を循環させる循環経路を含んで構成されている。ここで、上記受熱部１１２は、ジャケット構造を有する偏平な矩形の中空プレートによって構成されており、ハウジング１０２内に垂直に起立した状態で収納されている。この受熱部１１２の内部には冷媒が収容されており、その前面には前記光源ユニット１０３が密着した状態で配置され、背面には前記ＬＥＤ駆動回路１０４が密着した状態で配置されている。即ち、受熱部１１２は、光源ユニット１０３とＬＥＤ駆動回路１０４によって挟持された状態で両者の間に配置されている。
【００１３】
又、前記放熱部１１３は、多数の冷却フィンを有してラジエータ構造として幅方向に長く形成されており、これはハウジング１０２の上端部において受熱部１１２を境としてこれの両側（前後）に配されている。
【００１４】
前記ファン１０６は、沸騰冷却器１０５の受熱部１１２を挟んでこれの両側であって、上下方向において光源ユニット１０３と放熱部１１３との間及びＬＥＤ駆動回路１０４と放熱部１１３との間にそれぞれ配設されている。
【００１５】
而して、以上のように構成された沸騰冷却式ＬＥＤ照明装置１０１が起動されて光源ユニット１０３とＬＥＤ駆動回路１０４及びファン１０６に電源が供給されると、光源ユニット１０３の複数のＬＥＤが発光し、その光はレンズ１０７を透過して正面前方に向かって照射されることによって前方を照明するが、光源ユニット１０３の点灯制御はＬＥＤ駆動回路１０４によってなされ、駆動中において光源ユニット１０３のＬＥＤ及びＬＥＤ駆動回路１０４の各種電子部品が発熱するが、これらは沸騰冷却器１０５によって強制冷却されてその温度上昇が抑えられる。
【００１６】
即ち、沸騰冷却器１０５の受熱部１１２においては、光源ユニット１０３及びＬＥＤ駆動回路４１０と冷媒との温度差による通常の熱伝導に加えて、冷媒が沸騰（蒸発）して気化するときの蒸発潜熱が光源ユニット１０３とＬＥＤ駆動回路１０４から奪われるため、これらの光源ユニット１０３とＬＥＤ駆動回路１０４が効率良く冷却される。尚、沸騰冷却器５１０の受熱部１１２において沸騰して気化した冷媒は、気泡となって上昇し、気泡ポンプ効果によって受熱部１１２内の液冷媒を放熱部１１３へと押し出すため、循環経路には冷媒の循環流が発生する。
【先行技術文献】
【特許文献】
【００１７】
【特許文献１】特開２００９−１２９６４２号公報
【発明の概要】
【発明が解決しようとする課題】
【００１８】
ところが、図９に示した沸騰冷却式ＬＥＤ照明装置１０１においては、冷媒が重力を利用して循環するため、その向きによって放熱性能が大きく影響を受け易く、沸騰冷却式ＬＥＤ照明装置１０１の設置方向が限定されてしまうという問題があった。
【００１９】
即ち、図９に示した沸騰冷却式ＬＥＤ照明装置１０１においては、沸騰冷却器１０５の放熱部１１３がハウジング１０２内の上部において受熱部１１２の前後両側に亘って配置されていたため、図１０に示すように沸騰冷却式ＬＥＤ照明装置１０１を垂直に対して例えば前方に図示の角度θだけ傾けると、放熱部１１３の受熱部１１２よりも前側の部分に冷媒液が溜まり、受熱部１１２付近に冷媒液が無くなるためにドライアウトの状態に陥ってしまう。このようなドライアウトが発生すると、冷媒液の循環が滞るために受熱部１１２から放熱部１１３への熱の輸送が不可能となってほぼ断熱状態となり、放熱部１１３の放熱機能が失われて沸騰冷却器１０５の冷却性能が低下するという問題が発生する。
【００２０】
本発明は上記問題に鑑みてなされたもので、その目的とする処は、ドライアウトの発生を防いで光源ユニットを安定的に冷却することができる沸騰冷却式ＬＥＤ照明装置を提供することにある。
【課題を解決するための手段】
【００２１】
上記目的を達成するため、請求項１記載の発明は、
ＬＥＤを光源とする光源ユニットと、
該光源ユニットから受熱する受熱部、該受熱部で受熱した熱を外気に放熱する放熱部及び該放熱部と前記受熱部間において冷媒を循環させる循環経路を備えた沸騰冷却器と、
該沸騰冷却器と前記光源ユニットを収容するハウジングと、
を含んで構成される沸騰冷却式ＬＥＤ照明装置において、
前記沸騰冷却器の放熱部を受熱部の上端に片側に寄せて配置したことを特徴とする。
【００２２】
請求項２記載の発明は、請求項１記載の発明において、前記沸騰冷却器の放熱部を、前記受熱部を垂直に対して傾けた場合に該受熱部よりも上方に位置する側に配置したことを特徴とする。
【００２３】
請求項３記載の発明は、請求項１又は２記載の発明において、前記沸騰冷却器の受熱部の少なくとも一部に垂直に対して傾斜する傾斜部を設け、該傾斜部の上端に前記放熱部を直角上方に向けて延設するとともに、同傾斜部の片面に前記光源ユニットを密着させて配置したことを特徴とする。
【発明の効果】
【００２４】
本発明によれば、沸騰冷却器の放熱部を受熱部の上端に片側に寄せて、例えば受熱部を垂直に対して傾けた場合に該受熱部よりも上方に位置する側に寄せて配置するようにしたため、沸騰冷却式ＬＥＤ照明装置（受熱部）を垂直に対して或る程度の角度まで傾けても液冷媒が放熱部に溜まることがなく、放熱部に液冷媒が溜まることによるドライアウトの発生が防がれ、光源ユニットが沸騰冷却器によって安定的に冷却されてその温度上昇が防がれ、該光源ユニットを構成する各ＬＥＤの発光効率及び寿命が高められる。
【図面の簡単な説明】
【００２５】
【図１】本発明に係る沸騰冷却式ＬＥＤ照明装置の斜視図である。
【図２】本発明に係る沸騰冷却式ＬＥＤ照明装置のハウジングを取り外した状態の斜視図である。
【図３】本発明に係る沸騰冷却式ＬＥＤ照明装置に備えられた沸騰冷却器の受熱部と放熱部の断面図であって、（ａ）は垂直に設置された状態を示し、（ｂ）は垂直に対して前側に傾けた状態を示す。
【図４】本発明に係る沸騰冷却式ＬＥＤ照明装置に備えられた沸騰冷却器の作用を説明するための模式的断面図である。
【図５】本発明に係る沸騰冷却式ＬＥＤ照明装置の傾斜角度と放熱性能との関係を従来のものと対比して示す図である。
【図６】本発明の別形態に係る沸騰冷却式ＬＥＤ照明装置の側面図である。
【図７】本発明の別形態に係る沸騰冷却式ＬＥＤ照明装置の側断面図である。
【図８】本発明に係る沸騰冷却式ＬＥＤ照明装置の使用形態を示す要部断面図であり、（ａ）はダウンライトとしての使用形態、（ｂ）はアッパーライトとしての使用形態をそれぞれ示す図である。
【図９】従来の沸騰冷却式ＬＥＤ照明装置の縦断面図である。
【図１０】従来の沸騰冷却式ＬＥＤ照明装置を垂直に対して傾けた状態を示す縦断面図である。
【発明を実施するための形態】
【００２６】
以下に本発明の実施の形態を添付図面に基づいて説明する。
【００２７】
図１は本発明に係る沸騰冷却式ＬＥＤ照明装置の斜視図、図２は同沸騰冷却式ＬＥＤ照明装置のハウジングを取り外した状態の斜視図、図３は同沸騰冷却式ＬＥＤ照明装置に備えられた沸騰冷却器の受熱部と放熱部の断面図であって、（ａ）は垂直に設置された状態を示す図、（ｂ）は垂直に対して前側に傾けた状態を示す図、図４は同沸騰冷却器の作用を説明するための模式的断面図である。
【００２８】
図１に示す沸騰冷却式ＬＥＤ照明装置１は、矩形ボックス状のハウジング２の内部に図２に示す光源ユニット３、ＬＥＤ駆動回路４、沸騰冷却器５及びファン６を組み込んで構成されている。
【００２９】
上記ハウジング２は、ＰＣ等の樹脂或いはアルミニウム等の金属で構成されており、図１に示すように、その前面２ａには前記光源ユニット３の前方を覆う矩形の透明なレンズ７が嵌め込まれている。又、ハウジング２の上面の略全面には幅方向に長い矩形の排気口８が形成されている。尚、図示しないが、ハウジング２の背面にはルーバー状の複数の吸気口が形成されている。
【００３０】
前記光源ユニット３は、図２に示すように、光源である複数のＬＥＤ９をＬＥＤ基板１０上にマトリックス状に実装して構成されており、ハウジング２内の前面側に垂直に起立した状態で収納されている。
【００３１】
又、前記ＬＥＤ駆動回路４は、図２に示すように、回路基板上に複数の各種電子部品１１を実装して構成されており、ハウジング２内において前記沸騰冷却器５の一部を構成する後述の受熱部１２を挟んで前記光源ユニット３が配された側とは反対の背面側に垂直に起立した状態で収納されている。
【００３２】
前記沸騰冷却器５は、図４に模式的に示すように、エバポレータとしての受熱部１２と、該受熱部１２の上方に配されたコンデンサとしての放熱部１３と、該放熱部１３と前記受熱部１２間において冷媒を循環させる循環経路を含んで構成されており、循環経路は受熱部１２内の通路と放熱部１３内の通路及び受熱部１２の横に上下方向に一体に形成されたリターン通路１４によって構成されている。
【００３３】
上記受熱部１２は、ジャケット構造を有する偏平な矩形の中空プレートによって構成されており、その内部には冷媒が収容されている。尚、冷媒としては代替フロンであるフルオロカーボンやフルオロケトン、代替フロン以外の一般的なエチレングリコールやプロピレングリコール等が使用され、沸騰冷却器５の製造時（冷媒の充填時）に内圧を調整することによって該冷媒の沸点がコントロールされる。
【００３４】
而して、受熱部１２は、前述のようにハウジング２内に垂直に起立した状態で収納されるが、その前面には前記光源ユニット３が密着した状態で配置され、背面には前記ＬＥＤ駆動回路４が密着した状態で配置されている。即ち、受熱部１２は、光源ユニット３とＬＥＤ駆動回路４によって挟持された状態で両者の間に配置されている。
【００３５】
又、前記放熱部１３は、多数の冷却フィンを有してラジエータ構造として幅方向に長く形成されており、これは図３（ａ）に示すように受熱部１２の上端に片側（本実施の形態では後側）に寄せて、具体的には例えば受熱部１２（沸騰冷却式ＬＥＤ照明装置１）を図３（ｂ）に示すように垂直に対して角度θだけ傾けた場合に該受熱部１２よりも上方に位置する側に寄せて配置されている。即ち、放熱部１３は受熱部１２の上端部において後方に向かって直角に延設されている。
【００３６】
ここで、受熱』部１２と放熱部１３は、共に軽量で熱伝達率の高いアルミニウム材で構成されており、両者はロウ付けによって接合一体化されている。又、沸騰冷却器５の内部空間はその半分以上が液冷媒によって満たされている。
【００３７】
ところで、図４に示すように、沸騰冷却器５においては、受熱部１２の上部に開口する冷媒出口１２ａと放熱部１３の下部に開口する冷媒入口１３ａとは直接連通しており、放熱部１３の冷媒入口１３ａとは反対側に開口する冷媒出口１３ｂと受熱部１２の下部に開口する冷媒入口１２ｂとはリターン通路１４を介して互いに連通しており、これによって冷媒の循環経路が構成されている。そして、本実施の形態では、図２に示すように、放熱部１３は、その冷媒出口１３ｂが冷媒入口１３ａ（図４参照）よりも下方に位置するように（リターン通路１４に向かって下がるように）水平に対して若干傾斜して配置されている。
【００３８】
前記ファン６は、図２に示すように、沸騰冷却器５の放熱部１３の下方に幅方向（横方向）に複数並設されている。
【００３９】
而して、以上のように構成された沸騰冷却式ＬＥＤ照明装置１が起動されて光源ユニット３とＬＥＤ駆動回路４及びファン６に電源が供給されると、光源ユニット３の複数のＬＥＤ９が発光し、その光はレンズ７を透過して正面前方に向かって照射されることによって前方を照明するが、光源ユニット３の点灯制御はＬＥＤ駆動回路４によってなされ、駆動中において光源ユニット３のＬＥＤ９及びＬＥＤ駆動回路４の各種電子部品１１が発熱し、そのままでは光源ユニット３とＬＥＤ駆動回路４及びこれらを収容するハウジング２が過熱されてそれらの温度が上昇する。
【００４０】
然るに、本実施の形態では、沸騰冷却器５によって光源ユニット３とＬＥＤ駆動回路４が強制冷却されてその温度上昇が抑えられるとともに、ファン６によってハウジング２の背面に形成された不図示の吸気口からハウジング２内に導入される外気によってハウジング２及びＬＥＤ駆動回路４が強制空冷されてその温度上昇が抑えられる。
【００４１】
即ち、沸騰冷却器５の受熱部１２においては、光源ユニット３及びＬＥＤ駆動回路４と冷媒との温度差による通常の熱伝導に加えて、冷媒が沸騰（蒸発）して気化するときの蒸発潜熱が光源ユニット３とＬＥＤ駆動回路４から奪われるため、これらの光源ユニット３とＬＥＤ駆動回路４が効率良く冷却される。
【００４２】
そして、沸騰冷却器５の受熱部１２において沸騰して気化した冷媒は、図４に矢印にて示すように、気泡となって上昇し、気泡ポンプ効果によって受熱部１２内の液冷媒を放熱部１３へと押し出すため、循環経路には図４に矢印にて示す方向の冷媒の循環流が発生する。
【００４３】
而して、沸騰によって気化したガス冷媒は、放熱部１３において外気に熱を放出することによって凝縮して液化するが、放熱部１３での冷媒からの放熱は、放熱部１３を通過する外気によって促進される。即ち、ハウジング２内で回転するファン６によって外気がハウジング２の吸気口からハウジング２内に吸引され、この吸引された外気は、ハウジング２とＬＥＤ駆動回路４を冷却しながら上昇し、放熱部１３を通過してハウジング２の排気口８から外部に排出されるため、放熱部１３を通過する外気によって放熱部１３での冷媒からの放熱が促進される。
【００４４】
放熱部１３において凝縮して液化した冷媒は、気泡ポンプ効果に加えて、重力によって放熱部１３の傾斜に沿って冷媒出口１３ｂに向かって流れ、冷媒出口１３ｂからリターン通路１４へと流れ込んで受熱部１２へと送り込まれる。
【００４５】
以後、同様の作用が繰り返され、冷媒は沸騰と凝縮の相変化を繰り返しながら循環経路を循環し、受熱部１２での沸騰に伴う蒸発潜熱を光源ユニット３とＬＲＤ駆動回路４から奪うことによってこれらを効率良く冷却する。
【００４６】
以上において、本実施の形態に係る沸騰冷却式ＬＥＤ照明装置１においては、沸騰冷却器５の放熱部１３を受熱部１２の上端に片側に寄せて、具体的には受熱部１２を垂直に対して図３（ｂ）に示すように前側に角度θだけ傾けた場合に該受熱部１２よりも上方に位置する側に寄せて配置するようにしたため、沸騰冷却式ＬＥＤ照明装置１（受熱部１２）を垂直に対して或る程度の角度（実際には７０°程度）まで傾けても液冷媒が放熱部１３に溜まることがなく、放熱部１３に液冷媒が溜まることによるドライアウトの発生が防がれ、光源ユニット３が沸騰冷却器５によって安定的に冷却されてその温度上昇が防がれ、該光源ユニット３を構成する各ＬＥＤ９の発光効率及び寿命が高められる。
【００４７】
ここで、図６に本発明に係る沸騰冷却式ＬＥＤ照明装置１（受熱部１２）を垂直に対して傾けた場合、その傾斜角θ[ｄｅｇ]と放熱性能（放熱部１３の温度[℃]）との関係を図９に示した従来の沸騰冷却式ＬＥＤ照明装置１０１のそれと対比して示すが、本発明に係る沸騰冷却式ＬＥＤ照明装置１では傾斜角θが７０°程度まではドライアウトは発生せず、略一定の放熱性能が得られることが分かる。これに対して、従来の沸騰冷却式ＬＥＤ照明装置１０１では、傾斜角θが３５°を超えると放熱性能が大幅に低下して放熱部１１３の温度が急上昇し、傾斜角θが４０°を超えるとドライアウトが発生することが分かる。
【００４８】
次に、本発明の別形態を図６〜図８に基づいて説明する。
【００４９】
図６は本発明の別形態に係る沸騰冷却式ＬＥＤ照明装置の側面図、図７は同沸騰冷却式ＬＥＤ照明装置の側断面図、図８は同沸騰冷却式ＬＥＤ照明装置の使用形態を示す要部断面図であって、（ａ）はダウンライトとしての使用形態、（ｂ）はアッパーライトとしての使用形態をそれぞれ示す図である。
【００５０】
本実施の形態に係る沸騰冷却式ＬＥＤ照明装置１’は、側面視「く」の字状に屈曲するステー１５に斜めに傾斜して取り付けられたものであって、ステー１５の傾斜部１５Ａに取り付けられたハウジング２の内部には、図７に示すように、光源ユニット３、ＬＥＤ駆動回路４、沸騰冷却器５及びファン６が収容されている。
【００５１】
ここで、沸騰冷却器５は、受熱部１２と、該受熱部１２の上端部に斜め上方（受熱部１２の長手方向に対して直角上方）に配された放熱部１３と、該放熱部１３と前記受熱部１２間において冷媒を循環させる循環経路を含んで構成されており、放熱部１３は受熱部１２の上端に片側（本実施の形態では斜め上方）に寄せて、具体的には受熱部１２の長手方向に対して直角上方を向くよう配設されている。
【００５２】
而して、本実施の形態に係る沸騰冷却式ＬＥＤ装置１’のように垂直に対して傾いた状態で取り付けられたものであっても、放熱部１３は受熱部１２の上端に片側（本実施の形態では斜め上方）に寄せて配置されているため、液冷媒が放熱部１３に溜まることがなく、ドライアウトの発生が防がれて光源ユニット３が沸騰冷却器５によって安定的に冷却される。
【００５３】
斯かる沸騰冷却式ＬＥＤ照明装置１’は、例えばダウンライトやアッパーライトとしての用途に供することができ、ダウンライトとして使用する場合には、図８（ａ）に示すように光源ユニット３を受熱部１２の下面側に配置し、アッパーライトとして使用する場合には、図８（ｂ）に示すように光源ユニット３を受熱部１２の上面側に配置すれば良い。
【００５４】
尚、以上の実施の形態では、ＬＥＤ駆動回路４のみを外気によって強制空冷するようにしたが、光源ユニット３も同時に外気によって強制空冷する方式を採用すれば、沸騰冷却器５による冷却とファン６による強制空冷とのハイブリッド冷却方式によって光源ユニット３を一層効率良く冷却することができる。
【符号の説明】
【００５５】
１        沸騰冷却式ＬＥＤ照明装置
２        ハウジング
２ａ      ハウジングの前面
３        光源ユニット
４        ＬＥＤ駆動回路
５        沸騰冷却器
６        ファン
７        レンズ
８        排気口
９        ＬＥＤ
１０      ＬＥＤ基板
１１      電子部品
１２      受熱部
１２ａ    受熱部の冷媒出口
１２ｂ    受熱部の冷媒入口
１３      放熱部
１３ａ    放熱部の冷媒入口
１３ｂ    放熱部の冷媒出口
１４      リターン通路
１５      ステー
１５Ａ    ステーの傾斜部
【図１】
2011228149.tif 000003
【図２】
2011228149.tif 000004
【図３】
2011228149.tif 000005
【図４】
2011228149.tif 000006
【図５】
2011228149.tif 000007
【図６】
2011228149.tif 000008
【図７】
2011228149.tif 000009
【図８】
2011228149.tif 000010
【図９】
2011228149.tif 000011
【図１０】
2011228149.tif 000012